(57)【特許請求の範囲】
【請求項１】
所定の電子メールの送信者を特定する送信者情報を記憶する送信者情報格納部と、
１つ以上の番組情報を記憶する番組情報格納部と、
送信者からのメッセージ情報と送信元を示す送信元情報とを含む電子メールを受信する受信部と、  上記受信部により受信された上記電子メールの上記メッセージ情報に１つ以上の番組情報が含まれているか含まれていないかを解析して、含まれていることが解析できた場合に、上記電子メールの送信元情報が上記送信者情報格納部に記憶されている送信者情報と一致するかしないかを判定して、送信者情報が一致すると判定された場合に、上記メッセージ情報に含まれた１つ以上の番組情報を上記番組情報格納部に格納する電子メール解析部と
を備えることを特徴とする情報端末装置。
【請求項２】
上記電子メール解析部により上記１つ以上の番組情報が含まれていると解析された場合に上記１つ以上の番組情報から所定の番組情報の予約を指示できるように表示する表示部と、
上記表示部により表示された上記１つ以上の番組情報から予約する番組情報を指示する操作部とを備え、
上記番組情報格納部は上記操作部により予約を指示された番組情報を記憶する
ことを特徴とする請求項１記載の情報端末装置。
【請求項３】
上記送信者情報格納部は、上記操作部からの予約の指示なしに所定の番組情報を記憶するかしないかのいずれか一方を設定する自動予約設定情報を上記送信者情報に対応させて記憶し、
上記電子メール解析部は、上記メッセージ情報に上記１つ以上の番組情報が含まれているとともに、上記電子メールの送信元情報が上記送信者情報格納部に記憶されている送信者情報と一致する場合は、上記送信者情報に対応する上記自動予約設定情報の内容に従い、上記１つ以上の番組情報を上記番組情報格納部に記憶させることと上記１つ以上の番組情報から所定の番組情報の予約を指示できるように上記表示部に表示させることとのいずれか一方を行う
ことを特徴とする請求項１記載の情報端末装置。
【請求項４】
上記番組情報格納部は、上記番組情報に対応させて上記電子メールの送信元情報を記憶し、
上記電子メール解析部は、上記１つ以上の番組情報を上記番組情報格納部に記憶する場合に、上記電子メールの送信元情報を上記１つ以上の番組情報に対応させて記憶し、
上記操作部は、上記番組情報格納部に記憶されている番組情報を送信元情報毎に表示する送信元別番組一覧作成の指示を入力し、
上記情報端末装置は、上記操作部により上記送信元別番組一覧作成の指示が入力されると、上記番組情報格納部に記憶されている番組情報と上記番組情報に対応して記憶されている送信元情報を用いて上記送信元別番組一覧を作成する番組情報解析部を備え、
上記表示部は、上記番組情報解析部により作成された上記送信元別番組一覧を表示する
ことを特徴とする請求項１記載の情報端末装置。
【請求項５】
上記送信者情報格納部は、上記送信者情報に対応させて送信者の所属するグループを示すグループ情報を記憶し、
上記操作部は、上記番組情報格納部に記憶されている番組情報を送信者の所属するグループ情報毎に表示するグループ別番組一覧作成の指示を入力し、
上記番組情報解析部は、上記操作部より上記グループ別番組一覧作成の指示が入力されると、上記番組情報格納部に記憶されている番組情報に対応して記憶されている送信元情報の所属するグループ情報を上記送信者情報格納部より取得し、取得したグループ情報と上記番組情報格納部に記憶されている番組情報とを用いて上記グループ別番組一覧を作成し、
上記表示部は、上記番組情報解析部により作成された上記グループ別番組一覧を表示する
ことを特徴とする請求項４記載の情報端末装置。
【請求項６】
上記番組情報は、少なくとも放送予定日と放送チャンネルと放送時間帯とを示す情報を有し、
上記情報端末装置は、
所定の放送時間帯に所定の放送チャンネルから放送されている放送情報を受信する受信部と、
上記番組情報格納部に記憶された番組情報から番組情報の有する上記放送予定日と上記放送時間帯とが到来している番組情報を選択して、選択した番組情報の上記放送時間帯に上記放送チャンネルから放送されている放送情報の受信を上記受信部に対して指示する番組情報解析部と
を備え、
上記表示部は、上記受信部により受信された放送情報を表示する
ことを特徴とする請求項１記載の情報端末装置。
【請求項７】
上記表示部は、上記放送情報を表示すると同時に所定のメッセージを表示することを特徴とする請求項６記載の情報端末装置。
【発明の詳細な説明】
【０００１】
【発明の属する技術分野】
この発明は、情報端末装置が、情報端末装置により受信可能な情報量の放送情報、例えば地上波ディジタルテレビジョン（以下、「テレビジョン」を「ＴＶ」と称する）放送の番組情報や放送情報を受信して、受信した番組情報を情報端末装置間で交換することに関する。特に、離れた場所にいる家族や友人などのグループ間で同じＴＶ番組を簡単に視聴することができるディジタル放送受信機能付情報端末装置の情報交換に関するものである。
【０００２】
【従来の技術】
近年、ＣＳ（通信衛星）やＢＳ（放送衛星）を利用したディジタルＴＶ放送が開始され、これらの放送では番組情報もデータ放送として送信されておりＴＶ放送受信機から番組情報の確認や予約が行えるようになった。
【０００３】
また、情報端末装置、例えば、携帯電話機を利用した遠隔制御によるＴＶ番組の予約も可能となっている。例えば、特開２００１−１０３４０６では、図１５に示すように、ＴＶ放送受信機１００より番組情報を携帯電話機２００へ転送し、携帯電話機２００によって、ＴＶ放送受信機１００から転送された番組情報より特定の番組情報を予約する予約情報をＴＶ放送受信機１００へ転送するＴＶ番組予約システムが提案されている。  また、ＴＶ放送受信機１００より転送された番組情報を友人などの携帯電話機２１０へ転送することも提案されている。友人などの携帯電話機２１０へ転送された番組情報は、ＴＶ放送受信機１１０へ転送されて予約情報として記憶される。
【０００４】
しかしながら、上述の場合、携帯電話機はＴＶ放送受信手段を持たないためＴＶ放送受信機より番組情報を転送する必要があるとともに、転送された番組情報を予約する予約情報を携帯電話機からＴＶ放送受信機へ転送する必要がある。また、屋外のモバイル環境で使用する携帯電話機ではＴＶ放送を視聴することはできなかった。
【０００５】
一方、従来のＣＳやＢＳのディジタルＴＶ受信手段を携帯端末機器として実現することは困難であった。また、小型・軽量を要求される携帯電話機へ従来のＣＳやＢＳのディジタルＴＶ放送の放送情報を受信するには、放送情報が携帯電話機の受信可能情報量を超えている為、携帯電話機に従来のＣＳやＢＳのディジタルＴＶ受信手段を組み込むことは不可能であった。
【０００６】
しかしながら、近年サービスが予定されている地上波ディジタルＴＶ放送では、ＴＶ放送および番組情報を受信する手段の小型化が可能であり、ＴＶ放送もデータ量を減らすために解像度等を減らして携帯電話機等の機器専用の規格が検討されている。
【０００７】
上述のとおり、携帯電話機へ地上波ディジタルＴＶ放送受信機を組み込みことは可能であるが、携帯電話機は小型・軽量・低消費電力化が要求される機器である。このため、番組情報を格納するための記憶手段を充分に確保することが困難であり、一度にすべての番組情報を記憶しておくことができない。
さらに、携帯電話機はモバイル環境で使用される機器であるため消費電力を抑えることが必要であり、頻繁にＴＶ放送から番組情報の受信を繰り返すこともできないという問題点がある。
【０００８】
【発明が解決しようとする課題】
従来のＴＶ番組予約システムは以上のように構成されているので、ＴＶ放送受信機を用いて携帯電話機から遠隔地でＴＶ番組を録画予約する機能を実現しているのみである。このため、遠隔地で携帯電話機を用いてＴＶ放送を視聴することはできない。
また、１つの番組を予約する場合でも、番組情報を入手する時と希望する番組を予約する時との両方の機会でＴＶ放送受信機と携帯電話機との間で通信が必要となっている。
一方、ＴＶ放送受信機を携帯電話機へ組み込んだ構成を実現した場合、番組情報を携帯電話機に格納することが必要となる。しかし、すべての番組情報を格納するための記憶手段を携帯電話機に備えることが困難であり、少ない記憶手段で実現するためには番組情報を受信する機会を増やす必要があるが、この動作は消費電力の増大を招くという問題点がある。
【０００９】
この発明は上記のような問題点を解消するためになされたもので、情報端末装置、例えば携帯電話機により受信可能な情報量の放送情報及び番組情報、例えば地上波ディジタルＴＶ放送からの放送情報及び番組情報を受信する機能を情報端末装置に備える。これによって、地上波ディジタルＴＶ放送から番組情報を入手可能であるとともに、屋外のモバイル環境で直接放送情報を受信してＴＶ放送を視聴することを可能にすることと、多量の番組情報から視聴したい番組を簡単かつ確実に選択することとを可能にする、情報端末装置を提供することを目的とする。
【００１０】
【課題を解決するための手段】
この発明に係る情報端末装置は、以下の要素を備えることを特徴とする。
（ａ）１つ以上の番組情報を受信する受信部、
（ｂ）上記受信部により受信された上記１つ以上の番組情報を表示する表示部、
（ｃ）上記表示部により表示された上記１つ以上の番組情報から予約する番組情報を指示する操作部、
（ｄ）上記操作部により予約を指示された番組情報を含む電子メールを作成するとともに、作成した電子メールに対して電子メールの宛先情報を設定する電子メール作成部、
（ｅ）上記電子メール作成部により作成された電子メールを上記宛先情報に宛てて送信する送信部。
【００１１】
この発明に係る情報端末装置は、送信者からのメッセージ情報を含む電子メールを受信する受信部と、上記受信部により受信された上記電子メールの上記メッセージ情報に１つ以上の番組情報が含まれているか含まれていないかを解析する電子メール解析部と、上記電子メール解析部により上記１つ以上の番組情報が含まれていると解析された場合に上記１つ以上の番組情報を記憶する番組情報格納部とを備えることを特徴とする。
また、この発明に係る情報端末装置は、上記電子メール解析部により上記１つ以上の番組情報が含まれていると解析された場合に上記１つ以上の番組情報から所定の番組情報の予約を指示できるように表示する表示部と、上記表示部により表示された上記１つ以上の番組情報から予約する番組情報を指示する操作部とを備え、上記番組情報格納部は上記操作部により予約を指示された番組情報を記憶することを特徴とする。
【００１２】
また、この発明に係る情報端末装置は、上記電子メールは、上記電子メールの送信元を示す送信元情報を含み、上記情報端末装置は、所定の電子メールの送信者を特定する送信者情報を記憶する送信者情報格納部を備え、上記電子メール解析部は、上記メッセージ情報に上記１つ以上の番組情報が含まれているとともに、上記電子メールの送信元情報が上記送信者情報格納部に記憶されている送信者情報と一致する場合に、上記メッセージ情報に含まれている１つ以上の番組情報を上記番組情報格納部に記憶することを特徴とする。
【００１３】
また、この発明に係る情報端末装置は、上記送信者情報格納部は、上記操作部からの予約の指示なしに所定の番組情報を記憶するかしないかのいずれか一方を設定する自動予約設定情報を上記送信者情報に対応させて記憶し、上記電子メール解析部は、上記メッセージ情報に上記１つ以上の番組情報が含まれているとともに、上記電子メールの送信元情報が上記送信者情報格納部に記憶されている送信者情報と一致する場合は、上記送信者情報に対応する上記自動予約設定情報の内容に従い、上記１つ以上の番組情報を上記番組情報格納部に記憶させることと上記１つ以上の番組情報から所定の番組情報の予約を指示できるように上記表示部に表示させることとのいずれか一方を行うことを特徴とする。
【００１４】
また、この発明に係る情報端末装置は、上記番組情報格納部は、上記番組情報に対応させて上記電子メールの送信元情報を記憶し、上記電子メール解析部は、上記１つ以上の番組情報を上記番組情報格納部に記憶する場合に、上記電子メールの送信元情報を上記１つ以上の番組情報に対応させて記憶し、上記操作部は、上記番組情報格納部に記憶されている番組情報を送信元情報毎に表示する送信元別番組一覧作成の指示を入力し、上記情報端末装置は、上記操作部により上記送信元別番組一覧作成の指示が入力されると、上記番組情報格納部に記憶されている番組情報と上記番組情報に対応して記憶されている送信元情報を用いて上記送信元別番組一覧を作成する番組情報解析部を備え、上記表示部は、上記番組情報解析部により作成された上記送信元別番組一覧を表示することを特徴とする。
【００１５】
また、この発明に係る情報端末装置は、上記送信者情報格納部は、上記送信者情報に対応させて送信者の所属するグループを示すグループ情報を記憶し、上記操作部は、上記番組情報格納部に記憶されている番組情報を送信者の所属するグループ情報毎に表示するグループ別番組一覧作成の指示を入力し、上記番組情報解析部は、上記操作部より上記グループ別番組一覧作成の指示が入力されると、上記番組情報格納部に記憶されている番組情報に対応して記憶されている送信元情報の所属するグループ情報を上記送信者情報格納部より取得し、取得したグループ情報と上記番組情報格納部に記憶されている番組情報とを用いて上記グループ別番組一覧を作成し、上記表示部は、上記番組情報解析部により作成された上記グループ別番組一覧を表示することを特徴とする。
【００１６】
また、この発明に係る情報端末装置は、上記番組情報は、少なくとも放送予定日と放送チャンネルと放送時間帯とを示す情報を有し、上記情報端末装置は、上記操作部により予約を指示された番組情報を記憶する番組情報格納部と、上記番組情報格納部に記憶された番組情報から番組情報の有する上記放送予定日と上記放送時間帯とが到来している番組情報を選択して、選択した番組情報の上記放送時間帯に上記放送チャンネルから放送されている放送情報の受信を上記受信部に対して指示する番組情報解析部とを備え、上記受信部は、上記番組情報解析部により放送情報の受信を指示されると、上記番組情報に従い放送情報を受信し、上記表示部は、上記受信部により受信された放送情報を表示することを特徴とする。
【００１７】
また、この発明に係る情報端末装置は、上記番組情報は、少なくとも放送予定日と放送チャンネルと放送時間帯とを示す情報を有し、上記情報端末装置は、所定の放送時間帯に所定の放送チャンネルから放送されている放送情報を受信する受信部と、上記番組情報格納部に記憶された番組情報から番組情報の有する上記放送予定日と上記放送時間帯とが到来している番組情報を選択して、選択した番組情報の上記放送時間帯に上記放送チャンネルから放送されている放送情報の受信を上記受信部に対して指示する番組情報解析部とを備え、上記表示部は、上記受信部により受信された放送情報を表示することを特徴とする。
【００１８】
また、この発明に係る情報端末装置は、上記表示部は、上記放送情報を表示すると同時に所定のメッセージを表示することを特徴とする。
【００２１】
【発明の実施の形態】
以下に説明する実施の形態では、情報端末装置の一例として携帯電話機を用いる。また、携帯電話機が受信する番組情報、及び、放送情報は、携帯電話機が受信可能な情報量であるものとする。受信可能な情報量の番組情報、及び、放送情報とは、例えば地上波ディジタルＴＶ放送から出力される番組情報、及び、放送情報とする。また、番組情報は少なくとも放送予定日と放送チャンネルと放送時間帯（放送開始時間と放送終了時間）と番組のタイトルとを示す情報を有しているものとする。また、放送情報は、ＴＶ番組の映像と音声とを再生するための元の情報である。
【００２２】
実施の形態１．
この実施の形態１では、携帯電話機を用いて番組情報を受信し、受信した番組情報から所定の番組情報を選択して、選択した番組情報を含む電子メールを作成し、作成した電子メールを所定の相手先に送信する送信側の情報端末装置の一例と、番組情報を含む電子メールを携帯電話機で受信し、受信した電子メールから番組情報を取り出して記憶する受信側の情報端末装置の一例とについてそれぞれ説明する。
以下、この発明の実施の形態１を図を用いて説明する。
図１は実施の形態１の送信側と受信側の携帯電話機で番組情報を互いに通信する場合の概略構成図である。
図１において、１０はディジタル放送受信機能付携帯電話機であり、携帯電話機１０は、ディジタルＴＶ放送として放送情報及び番組情報とを受信するための受信部２０、放送情報を再生した映像情報と番組情報と電子メールとを少なくとも表示する表示部１１、表示部１１に表示された番組情報から視聴を希望する番組を選択するための操作部１３、インターネットへ接続するための送信部或いは受信部の一例である無線部３０で構成されている。５０は前記１０と同一の構成を持つ携帯電話機であり、家族や友人などの相手側の携帯電話機を指している。
【００２３】
図２は図１のディジタル放送受信機能付携帯電話機１０の構成を詳細に示すものである。
図２において、２０は地上波ディジタルＴＶ放送を受信するための受信部であり、映像および音声を含むＴＶ放送情報、チャンネル番号、番組のタイトル、番組の放送日、放送開始時間／終了時間（放送時間帯）などの番組情報を取り込むことができる。３０は、インターネットへ接続するための無線部であり携帯電話機のほかＰＨＳ（ｐｅｒｓｏｎａｌ  ｈａｎｄｙｐｈｏｎ  ｓｙｓｔｅｍ）携帯電話機や他の任意の移動電話機を含むものである。また、１１はＴＶ放送情報、番組情報、電子メールなどを表示するための液晶パネル等の表示部。１２はＴＶ放送情報の音声を再生するためのスピーカ等の音声再生部。１３は予約したい番組の選択や電子メール作成を行うためのキーパッド等の操作部。２１は番組情報や予約情報を制御する番組情報解析部。２２は番組情報を予約する予約情報を記憶するための再書き込み可能な不揮発性メモリ等の番組情報格納部。３１は番組情報を含む電子メールを作成する電子メール作成部。３２は番組情報を含む電子メールから番組情報を抽出する電子メール解析部である。４０は電子メールを通信するインターネットであり、電子メールを通信できる通信網であれば、インターネットに限らず別の通信網でもかまわない。
【００２４】
次に、図１，２を用いて番組情報を通信する動作の概要を説明する。
ユーザは、操作部１３より番組情報の入手を指示することにより、ＴＶ放送受信部２０より番組情報を入手する。ＴＶ放送受信部２０により受信された番組情報は、番組情報解析部２１により例えば放送チャンネル毎、放送日毎、放送開始時間毎とに分類され、表示部１１へ表示される。ユーザは、表示部１１に表示された番組情報を確認し、視聴を希望する番組を操作部１３より指示する。番組情報解析部２１は操作部１３より指示を受けると、必要な情報を番組情報格納部２２へ記憶させる。番組情報格納部２２へ記憶された番組情報は、予約情報として管理される。番組情報解析部２１は、番組情報格納部２２に記憶されている番組情報の放送日と放送時間帯とを確認し、放送時間が到来している番組情報を選択する。選択された番組情報はＴＶ放送受信部２０に渡される。その結果、視聴を希望した番組の放送開始時間になると、自動的にＴＶ放送受信部２０よりＴＶ放送情報が受信され、受信された放送情報が表示部１１および音声再生部１２で再生され、ユーザは希望の番組を視聴することができる。
【００２５】
次に、この発明の特徴である家族や友人などのグループ間で簡単に同一番組を視聴できるようにする方法を説明する。
ユーザは前述のとおりＴＶ放送受信部２０より入手した番組情報を表示部１１で確認する。ここで予約を希望する番組情報を操作部１３より選択して、電子メール作成の指示を行う。または、一旦予約情報として番組情報格納部２２に記憶した番組情報を表示部１１に表示して、表示された番組情報の中から所定の番組情報を操作部１３を用いて指定してもかまわない。その後、電子メール作成の指示を操作部１３から行う。電子メール作成の指示がされると、電子メール作成部３１は前記選択されたＴＶ番組の番組情報を電子メールのメッセージ情報に含んで番組情報付電子メールを作成する。作成された前記番組情報付電子メールは、インターネットへ接続可能な無線部３０により相手側の携帯電話機５０へ送信される。
【００２６】
ここで、相手側の携帯電話機５０は、送信側の携帯電話機１０と同一構成をとるため、同じ図２を用いて受信側の機能を説明する。
携帯電話機５０は、無線部３０により送信側の携帯電話機１０から送信された番組情報付電子メールを受信する。受信した番組情報付電子メールは、電子メール解析部３２へ送られる。電子メール解析部３２は、番組情報付電子メールを表示部１１に表示するが、このとき、番組情報付電子メールに番組情報とともにメッセージが含まれている場合は、メッセージを番組情報とともに表示する。ユーザは、表示部１１に表示された番組情報を確認し、操作部１３より所定の番組情報の予約を指示する。電子メール解析部３２は、操作部１３を用いてユーザにより指示された電子メールに埋め込まれた番組情報を予約情報として番組情報格納部２２へ記憶する。
このように、一人のユーザがＴＶ放送受信部より受信した番組情報を別のユーザに送信することによって、番組情報を送信された別のユーザが自信でＴＶ放送受信部より番組情報を受信することなく、簡単に番組情報を入手して予約することができる。例えば、趣味のサークルに加入している仲間同士でその趣味に関する番組を視聴しようとした場合に、そのグループ内の１人がＴＶ放送受信部２０により番組情報を受信して、グループ内の他のメンバーに対して番組情報付電子メールを送信すれば、グループ全員が同一番組を視聴することが可能となる。また、番組情報解析部２１が番組情報格納部２２に記憶されている番組情報を確認して、放送開始時間が到来している場合には、放送開始時間が到来している番組情報に基づくＴＶ放送情報をＴＶ放送受信部２０が自動的に受信して表示部１１および音声再生部１２により再生されたＴＶ放送情報を表示する。このため、ユーザは放送開始時間の到来を気にすることなく、予約した番組情報の放送を視聴できる。
また、放送開始時間が到来しているときに、携帯電話機の電源がＯＦＦであったり、呼び出し音の出力を制限するように設定されている場合は、放送情報を受信しても表示を行わないようにしたり、表示を行っても音声は出力しないようにしたり、放送情報の受信を行わないように動作を制限するように制御することも可能である。
また、電子メールのメッセージ情報に含める番組情報は、１つとは限らず２つ以上の番組情報を含むことも可能である。この場合、複数の番組情報が表示部１１により表示されるようになるので、ユーザは操作部１３より１つ或いは２つ以上の番組情報を選択して、番組情報格納部２２に記憶させる。
【００２７】
次に発明の実施の形態１の携帯電話機の詳細な動作を説明する。
図３は、この実施の形態１の電子メールの送信側の携帯電話機の動作を示すフローチャートである。
図３に示すとおり、携帯電話機はユーザから操作部１３より番組情報の受信を指示されると、ＴＶ放送受信部２０は、地上波ディジタル放送から番組情報を入手し（Ｓ１，Ｓ２，受信工程）、入手した番組情報に基づく番組表を表示部１１より表示する（Ｓ３，表示工程）。表示部１１により表示した番組表に対してユーザから所定の番組情報の予約が操作部１３より指示されるとともに、指示された番組情報を送付する要求があると（Ｓ４、予約操作工程）、電子メール作成部３１により番組情報付電子メールが作成、送信される（Ｓ５，Ｓ６，電子メール作成工程，送信工程）。これで送信側の処理は終了する（Ｓ７）。なお、表示部１１に表示する番組情報は地上波ディジタル放送から入手した番組情報ではなく、番組情報格納部２２に記憶されている番組情報を表示させるようにしてもかまわない。
図４は、この実施の形態１の電子メールの受信側の携帯電話機の動作を示すフローチャートである。
図４に示すとおり、電子メールを受信した場合は（Ｓ１０，受信工程）、電子メール解析部３２により受信した電子メールに番組情報が含まれているかいないかを判断する（Ｓ１１，電子メール解析工程）。例えば、電子メールのメッセージ情報に番組情報を含んでいることを示す識別子をあらかじめ決めておいて、送信側では番組情報を含むメッセージ情報を作成する場合に、前記識別子をメッセージ情報中に挿入し、受信側ではメッセージ情報中に前記識別子が含まれているかいないかを確認するようにする。Ｓ１１で番組情報が含まれていると判断された場合は、表示部１１によりメッセージとともに番組情報の案内を表示する（Ｓ１２，表示工程）。Ｓ１１で番組情報が含まれていないと判断された場合は、表示部１１によりメッセージを表示して（Ｓ１８，表示工程）、処理を終了する（Ｓ１７）。Ｓ１２の処理の後、ユーザは視聴したい番組情報を指示する（Ｓ１３の「あり」，操作工程）。視聴したい番組情報がない場合には（Ｓ１３の「なし」）、処理を終了する（Ｓ１７）。Ｓ１３により番組情報が指示されると、番組情報解析部２１は指示された番組情報の放送開始時間が到来しているか確認する（Ｓ１４）。放送開始時間が到来している場合には放送中であるため、直ちにＴＶ放送受信部２０によりその番組情報を元に地上波ディジタル放送から放送情報を受信し、受信した放送情報を表示部１１および音声再生部１２によって再生し、再生した映像を表示する（Ｓ１５）。放送中でない場合は、その番組情報を予約情報として番組情報解析部２１により番組情報格納部２２に記憶する（Ｓ１６）。
【００２８】
以上のように、この実施の形態１では、地上波ディジタルＴＶ放送受信部と端末間で電子メールの送信および受信を行う無線部とを備え、番組情報を格納する少なくとも１つの記憶部、ＴＶ番組と電子メールを表示する少なくとも１つの表示部、ＴＶ番組の音声を再生する少なくとも１つの音声再生部、電子メールの作成等を行う少なくとも１つの入力部とで構成し、前記地上波ディジタルＴＶ放送受信部で番組情報を受信し、前記番組情報を含む電子メールを前記無線部で交換することにより、グループ間で簡単に同一番組を視聴できるようにしたことを特徴とする情報端末装置の一例としてディジタル放送受信機能付携帯電話機を説明した。
【００２９】
また、この実施の形態１では、地上波ディジタルＴＶ放送より番組情報を受信する受信部および視聴を予約する番組情報を格納する蓄積（格納）部を備えるとともにＴＶ放送受信部、番組情報を埋め込んだ電子メール作成部および番組情報が埋め込まれた電子メールの解析部、電子メールを送信および受信する無線通信部とを備えたディジタル放送受信機能付携帯電話機において、家族および友人などのグループ間で視聴したい番組を携帯電話機の格納部に登録するようにした、ディジタル放送受信機能付携帯電話機の番組情報の交換方法について説明をおこなった。
【００３０】
実施の形態２．
この実施の形態２では、電子メールを送信する送信者の情報を記憶する記憶部を受信側の携帯電話機に備える、情報端末装置の一例を説明する。
以下、この発明の実施の形態２を図を用いて説明する。
図５は、実施の形態２におけるディジタル放送受信機能付携帯電話機１０の構成を示すものであり、基本的には、上記実施の形態１の図２と同じであるが、３３のユーザ情報格納部（送信者情報格納部）を備えたことが図５と図２との異なる点である。
図５において、ユーザ情報格納部３３は、番組情報付電子メールを受信した場合に電子メール解析部３２が参照するユーザ情報（送信者情報）を記憶するための再書き込み可能な不揮発性メモリ等の格納部である。このユーザ情報格納部３３は、家族や友人などの特定のグループメンバーから送られてきた番組情報に限り自動視聴できるように番組情報を予約させることで、受信側のユーザが電子メールの確認を忘れてしまった場合でも、確実にＴＶ放送情報の視聴を可能にするために備えるものである。例えば、家族や友人などの特定のグループメンバーに所属する送信者の電話番号やメールアドレスやユーザＩＤやユーザ名等を記憶するものである。
【００３１】
次に、実施の形態２の詳細の動作を説明する。実施の形態２では、説明を容易にする為、受信側の携帯電話機が受信する電子メールは、番組情報付電子メールであるものとする。また、ユーザ情報格納部３３は、ユーザ情報（送信者情報）に対応させて、その送信者から送られてきた電子メールに含まれている番組情報について視聴の予約有無を確認せずに予約情報として番組情報格納部２２に格納する場合と、必ず確認させてから格納する場合との、いずれか一方を指定する自動予約設定情報を記憶させる。図７は、送信者情報としてユーザＩＤとユーザ名とに対応させて自動予約設定情報を記憶するユーザ情報格納部３３に記憶されたユーザ情報５２を示す図である。
図６は、実施の形態２の受信側の携帯電話機の動作を示すフローチャートである。
図６に示すとおり、番組情報付電子メールを無線部３０より受信すると（Ｓ２０）、受信した番組情報付電子メールは電子メール解析部３２へ送られる。電子メール解析部３２は、例えば番組情報付電子メールの送信元のユーザＩＤを確認して送信元のユーザを識別する。そして、ユーザ情報格納部３３を検索して、送信元のユーザが登録ユーザかどうかを判定する（Ｓ２１）。ここでは、送信元のユーザＩＤと一致する送信元情報がユーザ情報格納部３３に記憶されている場合を、登録ユーザであると判定し、送信元のユーザＩＤと一致する送信元情報がユーザ情報格納部３３に記憶されていない場合を、登録ユーザでないと判定する。登録ユーザの場合は、送信元情報に対応して記憶されている自動予約設定情報を入手する（Ｓ２２）。自動予約設定情報が「Ｙｅｓ」であれば（Ｓ２８）、受信した番組情報付電子メールに含まれている番組情報についてユーザからの視聴希望を確認せずに、番組情報解析部２１によって自動的に番組情報の放送日と放送開始時間とを解析して、ＴＶ放送が放映中である場合は（Ｓ２３，「Ｙｅｓ」）、直ちにＴＶ放送受信部によって放送情報を受信してＴＶ放送を表示部１１により放送する（Ｓ２４）。ＴＶ放送がまだ開始されていない場合は（Ｓ２３，「Ｎｏ」）、電子メール解析部３２によって番組情報付電子メールに含まれている番組情報を予約情報として番組情報格納部２２に対して登録する（Ｓ２５）。Ｓ２８で自動予約設定情報が「Ｎｏ」である場合と、Ｓ２１で登録ユーザでないと判定された場合には、受信した番組情報付電子メールに含まれている番組情報を表示部１１により表示して、ユーザにより視聴を希望する番組情報を操作部１３を用いて選択させる。任意の番組が選択された場合は、上記Ｓ２３以降の処理を行う。番組の選択が何も行われなかった場合は、処理を終了する（Ｓ２６）。
【００３２】
上記したユーザ情報格納部３３は、送信元情報に対応させて自動予約設定情報を記憶している。そして、この自動予約設定情報の内容によって（「Ｙｅｓ」、「Ｎｏ」）、「Ｙｅｓ」ならばユーザからの視聴希望を確認すること無く自動的に番組情報を番組情報格納部２２に記憶させていた。しかし、送信元のユーザが誰であっても視聴希望を確認する場合は、自動予約設定情報はなくてもいいし、或いは「Ｎｏ」と設置しておけば、電子メールに含まれて送られてきた全ての番組情報に対してユーザは視聴希望を指定することができるようになる。
【００３３】
以上のように、この実施の形態２では、上記実施の形態１で説明した情報端末装置に加えて、ユーザ情報（所定の電子メールの送信者を特定する送信者情報）を格納する記憶部（送信者情報格納部）を備え、前記無線部より受信した電子メールの送信元ユーザ（送信元情報）と前記記憶部に格納されているユーザ情報（送信者情報）とを判定することで、自動的にＴＶ番組の視聴予約を可能にしたことを特徴とする情報端末装置の一例を説明した。
【００３４】
実施の形態３．
この実施の形態３では、番組情報を番組情報格納部に記憶する場合に、送信元情報を番組情報に対応させて記憶する携帯電話機について説明する。
以下、この発明の実施の形態３を図を用いて説明する。
この実施の形態３における携帯電話機の構成は、上記実施の形態２で説明した携帯電話機と同様であり、図５を用いて説明する。また、ユーザ情報格納部３３には、送信元情報として図７のようにユーザＩＤを記憶しているが、この実施の形態３では、ユーザＩＤに対応してさらにメールアドレスを記憶しているものとする。また、図６のＳ２１の登録ユーザであるか否かの確認は、電子メールの送信元のメールアドレスがユーザ情報格納部３３に登録されているかいないかで判断すものとする。
番組情報付電子メールを無線部３０で受信した場合、実施の形態２で説明した図６では、Ｓ２５で番組情報を番組情報格納部２２に記憶させていた。この実施の形態３では、電子メール解析部３２は、図６のＳ２２で自動予約設定情報を入手する際にメールアドレスに対応するユーザＩＤもユーザ情報格納部３３から取得する。そして、番組情報格納部２２に番組情報を記憶する際に、Ｓ２２で入手したユーザＩＤを番組情報に対応させて記憶させる。
【００３５】
番組情報格納部２２に、番組情報に対応させてユーザＩＤを記憶することによって、ユーザＩＤ別の送信元別番組一覧を作成することが可能になる。
ユーザは、操作部１３より送信元別番組一覧の作成を指示する。ユーザより送信元別番組一覧の作成を指示されると、番組情報解析部２１は、番組情報格納部２２に記憶されている番組情報をユーザＩＤ毎にまとめて、送信元別番組一覧を作成する。作成した送信元別番組一覧は、表示部１１により表示する。
また、番組情報解析部２１は、ユーザ情報格納部３３に記憶されているユーザＩＤの登録順を確認して、登録順に送信元別番組一覧が表示されるように編集を行ってもかまわない。
また、番組情報解析部２１は、ユーザ情報格納部３３に記憶されているユーザＩＤを表示部１１により表示させて、番組一覧を作成する任意のユーザＩＤを選択させるようにしてもかまわない。
【００３６】
以上のように、この実施の形態３では、ユーザ情報（送信元情報）を格納する記憶部を備え、番組情報格納部に番組情報を格納する際、電子メールから送られてきた番組情報については送信元情報、例えばユーザＩＤもあわせて番組情報とともに格納することにより、送信元別の番組表を簡単に作成可能にしたことを特徴とする情報端末装置の一例を説明した。
【００３７】
実施の形態４．
この実施の形態４では、上記実施の形態３のユーザ情報格納部３３に送信元ユーザの所属するグループを識別するグループ情報を記憶させて、グループ別の番組一覧を作成する携帯電話機について説明する。
図９は、実施の形態４のユーザ情報格納部３３に記憶されているユーザ情報５１の一例を示す図である。実施の形態４のユーザ情報格納部３３は、図９のように、ユーザＩＤ（送信元情報）毎にユーザの所属するグループ情報をグループＩＤとして記憶している。
図１０は、実施の形態４の番組情報格納部２２に記憶されている番組予約情報６０の一例を示す図である。実施の形態４の番組情報格納部２２は、番組情報（番組ＩＤ、チャンネル番号、タイトル名、放送時間）とその番組情報を送ってきた送信元情報である予約者（ユーザＩＤ）を記憶している。番組ＩＤとは、番組予約情報の識別情報であり、番組情報格納部２２から任意の番組予約情報を検索する時のキーとなる情報である。
図１１は、番組情報解析部２１によって作成されたグループ番組表７０の一例を示す図である。グループ番組表７０は、グループＩＤと番組予約情報とを記憶している。番組予約情報は、１つ以上の番組ＩＤからなり、この番組ＩＤをキーにして番組情報格納部２２から詳細な番組予約情報を検索する。グループＩＤはグループ別番組一覧を作成する時のグループを識別するためのものである。どのグループＩＤにどのユーザが含まれているかは、ユーザ情報５１を参照して分かる。
【００３８】
以下に、グループ別番組一覧を作成する動作を説明する。
まず始めに、グループ別番組一覧を作成する元となるグループ番組表を作成する。グループ番組表の作成は、操作部１３よりグループ番組表の作成指示を行って開始される。グループ番組表の作成指示を行うと、表示部１１にユーザ情報格納部３３に登録されているユーザ情報５１が表示される（ユーザ情報５１の内、自動予約設定は表示しなくてもよい）。操作部１３を用いて、表示部１１に表示されたユーザＩＤよりグループ番組表に含めるユーザを選択してグループＩＤを登録する。既にグループＩＤが登録されている場合は、グループＩＤの登録は不要である。また、既に登録されたグループＩＤを変更する場合は、新しいグループＩＤを登録する。選択されたユーザＩＤは番組情報解析部２１へ送られ、番組情報解析部２１は、番組情報格納部２２に記憶されている番組情報から、上記選択されたユーザＩＤと一致するユーザＩＤを持つ番組情報を入手し、その番組情報の番組ＩＤをグループ番組表７０に登録する。さらに、別のユーザをグループ番組表に追加したい場合は、表示部１１によりユーザ情報５１を表示させる処理から繰り返す。追加するユーザが存在しない場合は、グループ番組表を元にグループ別番組一覧を作成して表示する。
上述のとおり、ユーザは希望するメンバーを選択するのみで簡単にグループ専用の番組表を作成することが可能となる。また、一度グループ番組表を登録しておけば、次回からはグループ番組表を作成すること無く、グループ別番組一覧を表示させることができる。
【００３９】
図８は、実施の形態４の動作を示すフローチャートである。
図８に示すとおり、ユーザより操作部１３からグループ番組表作成指示を受けると（Ｓ３０）、表示部１１はユーザ情報格納部３３に登録されているユーザ情報５１をユーザ一覧として表示する（Ｓ３１）。操作部１３を用いて、表示部１１に表示されたユーザ一覧からグループ番組表への登録を希望するユーザの指定を行うとともに、グループＩＤの登録を行う（Ｓ３２）。番組情報解析部２１は、指定されたユーザ名のユーザＩＤを取得し（Ｓ３３）、そのユーザＩＤを基に番組情報格納部２２に記憶されている番組情報を確認して、該当するユーザＩＤについて予約された番組情報の有無を確認する（Ｓ３４）。番組情報解析部２１は該当ユーザＩＤの番組情報が予約されていれば、グループ番組表７０に番組予約情報６０の番組ＩＤを追加する（Ｓ３５）。番組情報解析部２１は、グループ番組表７０に登録されている番組予約情報を用いて番組情報格納部２２に記憶されている番組予約情報６０を取得し、現在のグループ別番組一覧を表示部１１より表示する（Ｓ３６）。さらに、番組情報解析部２１は、追加するユーザの有無を確認する（Ｓ３７）。追加するユーザがある場合は、Ｓ３１のユーザ一覧の表示から動作を繰り返す。追加するユーザがない場合は、グループ番組表を番組情報格納部２２へ登録し（Ｓ３８）、処理を終了する（Ｓ３９）。
【００４０】
上記手順を具体的に説明する。
まず、Ｓ３１のユーザ一覧表示では、図９のユーザ情報５１が表示される。ユーザ情報５１からユーザ名「山田太郎」が選択され、グループＩＤに「Ｇ１」と登録する（Ｓ３２）。既に、グループＩＤが登録済みであれば、ここでのグループＩＤの登録は不要である。ユーザ情報５１によれば「山田太郎」のユーザＩＤは「Ｙ１」である（Ｓ３３）。番組情報解析部２１は、番組情報格納部２２に記憶されている番組情報からユーザＩＤが「Ｙ１」である番組情報の番組ＩＤを取得する。図１０の番組予約情報６０によれば、ユーザＩＤが「Ｙ１」である番組情報の番組ＩＤは「Ｂ１」である（Ｓ３４）。そこで、図１１のグループ番組表７０のように「Ｂ１」がグループＩＤ「Ｇ１」に対応する番組予約情報として登録される（Ｓ３５）。さらに、ユーザ情報５１を表示部１１により表示して、「山田花子」を選択して、グループＩＤに「Ｇ１」と登録する。「山田花子」のユーザＩＤは「Ｙ２」であるので、番組情報格納部２２の番組予約情報６０からユーザＩＤが「Ｙ２」である番組予約情報の番組ＩＤを取得する。番組予約情報６０より番組ＩＤは「Ｂ２」と取得される。取得された番組ＩＤ「Ｂ２」は、グループ番組表７０のグループＩＤ「Ｇ１」に対応する番組予約情報として登録される。
このように、図１１のグループ番組表が作成される。
番組情報解析部２１は、作成したグループ番組表を用いて、グループ別番組一覧を表示部１１より表示する。まず、グループ番組表のグループＩＤ毎に登録されている全ての番組予約情報について、番組ＩＤを用いて番組情報格納部２２に記憶されている番組情報（番組予約情報６０）を取得する。この動作をグループ番組表７０に登録されている全てのグループＩＤについて実行する。
【００４１】
このように、この実施の形態４では、送信元情報に対して送信元のユーザをグループ分けするグループＩＤを定義して、各グループに含まれる個々のユーザを登録することで、グループ別の番組一覧を表示することを可能にした。例えば、家族をグループ１、職場の仲間をグループ２、趣味のサークルの仲間をグループ３とに分けて、送信元情報に対してその送信元ユーザが属するグループＩＤを登録しておく。グループＩＤを登録しておくことによって、グループ番組表を作成し、グループ番組表を元にグループ別番組一覧を表示できる。また、グループ番組表を作成して登録しておくことによって、グループ別番組一覧を表示するたびにグループ番組表を作成すること無く、登録済みのグループ番組表を使用してグループ別番組一覧を作成できる。
【００４２】
以上のように、この実施の形態４では、ユーザ情報を格納する記憶部を備え、前記ユーザ情報を格納する記憶部へ少なくとも二人のユーザを含むユーザグループを登録可能とし、グループ毎の番組表を簡単に表示可能にしたことを特徴とする情報端末装置の一例を説明した。
【００４３】
実施の形態５．
この実施の形態５では、ＴＶ放送情報を表示するとともに、電子メールのメッセージ情報を同時に表示する携帯電話機を説明する。
以下、この発明の実施の形態５を図を用いて説明する。
図１２は、この実施の形態５におけるディジタル放送受信機能付携帯電話機１０の構成を示すものである。
図１２において、３４は無線部３０より受信した番組情報付電子メールのメッセージを記憶するための再書き込み可能な不揮発性メモリ等のメッセージ格納部であり、電子メールにより受信した番組情報に関するメッセージを、ＴＶ放送情報の受信時にＴＶ放送情報の再生表示と同時に表示させるために備えるものである。
【００４４】
図１３は発明の実施の形態５の動作を示すフローチャートである。
図１３に示すとおり、番組情報付電子メールを無線部３０より受信すると（Ｓ５０）、電子メール解析部３２は受信した番組情報付電子メールを番組情報とメッセージ情報とに分離し（Ｓ５１）、分離した番組情報とメッセージ情報とに対して同一のメッセージＩＤを自動採番して付与して（Ｓ５２）、メッセージ情報とメッセージＩＤとをメッセージ格納部３４へ記憶する（Ｓ５３）。分離された番組情報はメッセージＩＤとともに番組情報解析部２１へ送られ、放送中かどうかをチェックされ（Ｓ５４）、放送中の場合は直ちにＴＶ放送受信部２０よりＴＶ放送情報を受信し、表示部１１および音声再生部１２により受信したＴＶ放送情報を再生する。ここで、番組情報解析部２１は、同時にメッセージ格納部３４から番組情報のメッセージＩＤと同じメッセージＩＤのメッセージ情報を入手し、表示部１１へ表示する（Ｓ５９，Ｓ６０）。放送中でない場合は、番組情報解析部２１は番組情報を視聴予約情報として番組情報格納部２２へ、メッセージＩＤとともに記憶し（Ｓ５５）、ＴＶ番組の放送予定日と放送開始時間の到来をチェックし、放送が開始されると、前記放送中の場合と同様の動作をする（Ｓ５７）。
【００４５】
また、実施の形態２に示したユーザ情報格納部を備え、番組情報格納部２２へ番組情報とメッセージＩＤとともにユーザＩＤも同時に格納することにより、ＴＶ番組の放映及びメッセージの表示と同時に、ユーザ情報を表示することも可能となる。
【００４６】
この実施の形態５では、地上波ディジタルＴＶ放送を受信する受信部、端末間で電子メールの送信および受信を行う無線部、ＴＶ番組の映像と電子メールのメッセージを同時に表示できる少なくとも１つの表示部を備え、番組情報と電子メールのメッセージ情報を格納する少なくとも１つの記憶部、ＴＶ番組の音声を再生する少なくとも１つの音声再生部、電子メールの作成等を行う少なくとも１つの入力部とで構成し、前記無線部で受信した電子メールを番組情報とメッセージ情報とに分離し、前記地上波ディジタルＴＶ放送受信部で受信したＴＶ番組と同時に電子メールで受信したメッセージ情報を表示することにより、ＴＶ番組を視聴する場合のグループ間でのコミュニケーションを向上させることを特徴とする情報端末装置の一例を説明した。
【００４７】
また、この実施の形態５では、ユーザ情報を格納する少なくとも１つの記憶部を備え、前記ＴＶ番組情報、電子メールで受信したメッセージ情報と同時にユーザ情報を表示することにより、ＴＶ番組を視聴する場合のグループ間でのコミュニケーションを向上させることを特徴とする情報端末装置の一例を説明した。
【００４８】
実施の形態６．
上記実施の形態１では、送信側の携帯電話機は、ＴＶ放送受信部２０により番組情報を受信して、受信した番組情報を電子メールのメッセージ情報に含めて所定の宛先に送信していた。しかし、自身で受信した番組情報を受信側の携帯電話機と同様に番組情報格納部２２に格納することも可能である。この時、ＴＶ放送受信部２０により受信した番組情報は、所定の宛先へ電子メールのメッセージ情報として送信しなくてもかまわない。自身の視聴の予約の為に、番組情報をＴＶ放送受信部２０により受信してもかまわない。
【００４９】
図１４は、実施の形態６のディジタル放送受信機能付携帯電話機１０の構成を示すものである。
図１４のそれぞれの構成要素は、図２の同一符号の構成要素と同様の動作をするものである。
ユーザは、操作部１３より番組情報の入手を指示することにより、ＴＶ放送受信部２０より番組情報を入手する。ＴＶ放送受信部２０により受信された番組情報は、番組情報解析部２１により例えば放送チャンネル毎、放送日毎、放送開始時間毎とに分類され、表示部１１へ表示される。ユーザは、表示部１１に表示された番組情報を確認し、視聴を希望する番組を操作部１３より指示する。番組情報解析部２１は操作部１３より指示を受けると、必要な情報を番組情報格納部２２へ記憶させる。番組情報解析部２１は、番組情報格納部２２に記憶されている番組情報の放送日と放送時間帯とを確認し、放送時間が到来している番組情報を選択する。選択された番組情報はＴＶ放送受信部２０に渡される。その結果、希望した番組の放送開始時間になると、自動的にＴＶ放送受信部２０よりＴＶ放送情報（映像およびデータ）が受信され、受信された放送情報が表示部１１および音声再生部１２で再生され、ユーザは希望の番組を視聴することができる。
【００５０】
【発明の効果】
以上のように、この発明の情報端末装置では、ＴＶ放送から受信した番組情報を簡単に相手先の情報端末装置に伝えることができ、仲間同士で番組情報を交換することによって番組情報をグループ間で補完することできる。このため、仲間同士でそれぞれのユーザが情報端末を使用して番組情報を受信する負荷を軽減することができる効果がある。
また、ＴＶ放送から番組情報を受信するたびに掛かる料金を節約できる効果がある。
【００５１】
また、番組情報は電子メールのメッセージ情報に含んで受信できるので、電子メールを受信できる情報端末、例えば、電子メール対応の携帯電話機で番組情報を受信できる。このため、インターネットを使用する情報交換機能を利用できるので、ネットワークを新たに構築すること無く番組情報を交換できる効果がある。
【００５２】
また、あらかじめ送信元を特定する送信者情報を受信側の情報端末装置に登録を行うと、登録された送信元から受信した番組情報は自動的に視聴の予約を登録することが可能であり、確実にＴＶ放送を視聴できる効果がある。
【００５３】
また、自動予約設定情報を上記送信者情報とともに記憶することによって、自動予約設置情報の内容に従い、登録された送信元から受信した番組情報は自動的に視聴の予約を登録することと、登録された送信元から受信した番組情報であっても予約の確認を行ってから登録を行うこととを選択的に行える効果がある。
【００５４】
また、番組情報格納部に番組情報と共に送信元情報を登録することによって、送信元別番組一覧を容易に作成できる効果がある。
【００５５】
また、送信元情報とともにその送信元の属するグループ情報を登録しておくことによって、グループ別番組一覧を容易に作成できる効果がある。
【００５６】
また、番組情報格納部に記憶された番組情報について、放送の開始を自動的に確認するので、予約を行った番組情報について確実に視聴できる効果がある。
【００５７】
また、送信側で受信した番組情報とメッセージ情報とを受信側に同時に伝えることが可能となり、ＴＶ放送から送信されてくる番組情報にはないグループ間の個人情報（例えば自分自身の映像が放送される場合など）を付加することが可能となる効果がある。
【図面の簡単な説明】
【図１】  実施の形態１の番組情報交換の概略構成図。
【図２】  実施の形態１のディジタル放送受信機能付携帯電話機の構成図。
【図３】  実施の形態１の番組情報付電子メール送信のフローチャート図。
【図４】  実施の形態１の番組情報付電子メール受信のフローチャート図。
【図５】  実施の形態２のディジタル放送受信機能付携帯電話機の構成図。
【図６】  実施の形態２の番組情報付電子メール受信のフローチャート図。
【図７】  実施の形態２のユーザ情報格納部に記憶された送信者情報の一例を示す図。
【図８】  実施の形態４のグループ番組表作成のフローチャート図。
【図９】  実施の形態４のユーザ情報格納部に記憶された情報の一例を示す図。
【図１０】  実施の形態４の番組情報格納部に記憶された情報の一例を示す図。
【図１１】  実施の形態４のグループ番組表に記憶された情報の一例を示す図。
【図１２】  実施の形態５のディジタル放送受信機能付携帯電話機の構成図。
【図１３】  実施の形態５の番組情報付電子メール受信のフローチャート図。
【図１４】  実施の形態６のディジタル放送受信機能付携帯電話機の構成図。
【図１５】  従来の携帯電話機を利用した遠隔制御によるＴＶ番組の予約の実施例を示す概略構成図。
【符号の説明】
１０，５０  ディジタル放送受信機能付携帯電話機、２０  ＴＶ放送受信部、１１  表示部、１２  音声再生部、１３  操作部、２１  番組情報解析部、２２番組情報格納部、３０  無線部、３１  電子メール作成部、３２  電子メール解析部、３３  ユーザ情報格納部、３４  メッセージ格納部、４０  通信網、５１，５２  ユーザ情報、６０  番組予約情報、７０  グループ番組表。
【図１】
0003933978.tif 000002
【図２】
0003933978.tif 000003
【図３】
0003933978.tif 000004
【図４】
0003933978.tif 000005
【図５】
0003933978.tif 000006
【図６】
0003933978.tif 000007
【図７】
0003933978.tif 000008
【図８】
0003933978.tif 000009
【図９】
0003933978.tif 000010
【図１０】
0003933978.tif 000011
【図１１】
0003933978.tif 000012
【図１２】
0003933978.tif 000013
【図１３】
0003933978.tif 000014
【図１４】
0003933978.tif 000015
【図１５】
0003933978.tif 000016